(57)【特許請求の範囲】
【請求項１】
一端に湯水混合栓に対する接続部、他端に配管に対する接続部を形成し、両接続部の中心がずれるように配置されてなる偏心管本体と、分離可能である２つの半割り体からなり偏心管本体を個別に被覆する合成樹脂製カバーとを備え、さらに、この合成樹脂製カバーと湯水混合栓が取り付けられる壁面などの取付面との間に生じる環状の隙間を覆うほぼＯ型形状のリング体を設け、該リング体は、ほぼＣ型形状の第１の補助カバーと、この第１の補助カバーに対して係合され該第１の補助カバーよりも小さい円弧形状の第２の補助カバーとを備えることを特徴とする偏心管。
【請求項２】
前記第１の補助カバーは、該第１の補助カバーの開口端の対向する内面の各々に、係合溝と横ガイド溝とを有し、
前記第２の補助カバーは、該第２の補助カバーの両端面の上段から前記リング体の内側となる方向に突出し、前記係合溝に係合する係止爪が先端に形成された一対の水平突出片と、前記両端面の下段に設けられ前記横ガイド溝に係合する一対の水平係合突起とを有する請求項１に記載の偏心管。
【発明の詳細な説明】
【技術分野】
【０００１】
この発明は、偏心管に関するものである。
【背景技術】
【０００２】
従来より、湯水混合栓を給湯配管および給水配管に接続する部分に偏心管が用いられている。この偏心管は、一端に湯水混合栓に対する接続部、他端に配管に対する接続部を形成し、両接続部の中心がずれるように配置されており、この偏心管を用いることにより、壁面などの取付面に形成された給湯配管および給水配管の間隔が湯水混合栓側の湯流入口および水流入口の間隔と異なる場合にも、これを接続可能としている。
【０００３】
また、下記特許文献１に示すように、前記偏心管を熱伝導性が小さい合成樹脂製のカバーによって被覆することにより、見栄えを良くすると共に、給湯側の偏心管によるやけどを防止することが行われている。  
【０００４】
そして、近年は、下記特許文献２に示すように、湯水混合栓を例えばユニットバスの壁面に取り付けることができる合成樹脂製カバー付きの偏心管が提案されている。この合成樹脂製カバーは、図１７，１８に示すように、分離可能である２つの半割り体８０，８１からなり、給湯側の偏心管本体８２と給水側の偏心管本体８３を覆っている。偏心管本体８２は、給湯配管（図示せず）および湯水混合栓Ａの湯流入口Ｂ間に設置されて湯流路を形成する一方、偏心管８３は給水配管（図示せず）および湯水混合栓Ａの水流入口Ｃ間に設置されて水流路を形成する。例えば給湯側の偏心管本体８２は一端に湯水混合栓Ａに対する接続部８４、他端に配管に対する接続部（オネジ部）８５を有し、両接続部８４，８５の中心が例えば５ｍｍ程度ずれるように配置されている。８６は偏心管本体８２に設けた流量調整部である。
【０００５】
【特許文献１】特許３２８０５８４号公報
【特許文献２】特開２００３−３３６３００号公報
【発明の開示】
【発明が解決しようとする課題】
【０００６】
ところで、前記２つの半割り体８０，８１からなる合成樹脂製カバーには、調整代が設けてあり、図１９に示すように、接続部（オネジ部）８５と配管を接続するよう水栓設置用の壁Ｗに設けた貫通孔８７に設置されている継手８８のメネジ部分の突出量、または、偏心管本体８２の取り付け方により〔例えば接続部８５外周に設けられるシールテープの巻き具合により、接続部（オネジ部）８５のオネジの嵌まりが浅い場合〕、合成樹脂製カバー８０，８１の調整代が足りず、壁Ｗの表面８９と合成樹脂製カバー８０，８１の端面９０間に環状の隙間Ｓが発生することがあり、そのため、見栄えが悪くなったり、隙間Ｓにゴミが溜まり易くなる。
【０００７】
この発明は、上述の事柄に留意してなされたもので、その目的は、湯水混合栓が取り付けられる壁面などの取付面と合成樹脂製カバーの端面間に隙間が発生しても、その隙間を覆うよう補助できる偏心管を提供することである。
【課題を解決するための手段】
【０００８】
上記目的を達成するために、この発明の偏心管は、一端に湯水混合栓に対する接続部、他端に配管に対する接続部を形成し、両接続部の中心がずれるように配置されてなる偏心管本体と、分離可能である２つの半割り体からなり偏心管本体を個別に被覆する合成樹脂製カバーとを備え、さらに、この合成樹脂製カバーと湯水混合栓が取り付けられる壁面などの取付面との間に生じる環状の隙間を覆うほぼＯ型形状のリング体を設け、該リング体は、ほぼＣ型形状の第１の補助カバーと、この第１の補助カバーに対して係合手段を介して係合され該第１の補助カバーよりも小さい円弧形状の第２の補助カバーとを備えることを特徴としている（請求項１）。
上記偏心管において、前記第１の補助カバーは、該第１の補助カバーの開口端の対向する内面の各々に、係合溝と横ガイド溝とを有し、前記第２の補助カバーは、該第２の補助カバーの両端面の上段から前記リング体の内側となる方向に突出し、前記係合溝に係合する係止爪が先端に形成された一対の水平突出片と、前記両端面の下段に設けられ前記横ガイド溝に係合する一対の水平係合突起とを有していてもよい（請求項２）。
【発明の効果】
【０００９】
この発明では、合成樹脂製カバーと湯水混合栓が取り付けられる壁面などの取付面との間に生じる環状の隙間を覆うリング体を設けたので、リング体で隙間を覆うことにより見栄えが良くなるとともに、前記隙間にゴミを溜まり難くできる。
【発明を実施するための最良の形態】
【００１０】
以下、この発明の実施例を、図を参照しながら説明する。なお、それによってこの発明は限定されるものではない。
図１〜１６は、この発明の一実施例を示す。なお、図１〜１６において、図１７〜１９に示した符号と同一のものは同一または相当物である。
図１〜１６において、１は偏心管本体８３を被覆する合成樹脂製カバーで、分離可能である２つの半割り体２，３からなる。半割り体２は図１７に示した前記半割り体８０に相当し、半割り体３は図１７に示した前記半割り体８１に相当する。半割り体２，３と半割り体８０，８１の外形はほぼ同じである。そして、半割り体８０，８１と半割り体２，３で異なる点は、半割り体を組み付けてこの組み付け状態を強固に保持するための係合手段Ａ以外に、後述するリング体の第１の補助カバーとの係合手段Ｂを一方の半割り体３が備えている点である。なお、図１に示す合成樹脂製カバー１は給水側の偏心管本体８３を覆っている。
【００１１】
４は壁Ｗの表面８９と合成樹脂製カバー１の上流側端面９０間に発生する環状の隙間Ｓを覆うリング体である。このリング体４は、係合手段Ａを介して合成樹脂製カバー１の上流側端面９０に強固に保持されうる。合成樹脂製カバー１の上流側端面９０はほぼＣ型形状をなす。さらに、リング体４は、分離可能である平面視ほぼＣ型形状の第１の補助カバー５（図２〜６参照）と、この補助カバー５とは係合手段Ｃを介して係合して合成樹脂製カバー１の上流側端面９０に沿う形のほぼＯ型形状のリング体４を形成する円弧形状の第２の補助カバー６（図７〜１２参照）とよりなる。
【００１２】
まず、前記係合手段Ｂについて説明する。
第１の補助カバー５は、補助カバー５上面の中央位置に内側の半割り体３を当接状態で位置させており、半割り体３の開口端下部に設けた左右一対の係合爪受け７，７（図１３参照）に係合する左右一対の係合爪８，８（図４参照）を有する。
【００１３】
次に、前記係合手段Ｃについて説明する。
第２の補助カバー６は、図７〜９に示すように、先端に係止爪９ａが形成され、両端面１０，１０の上段から内側方向に突出する水平突出片９，９を両端に有し、また、両端面１０，１０の下段に両端面１０，１０から突出する水平係合突起１１，１１を有する。
一方、第１の補助カバー５は、水平突出片９の係止爪９ａが係合する係合溝１２と水平係合突起１１が係合する横ガイド溝１３を開口端の対向する内面１４に有する。
【００１４】
次に、前記係合手段Ａについて説明する。
半割り体２，３同士は以下のような構成により係合する。すなわち、図１３に示す半割り体３は、開口端における正面向かって左上部位置に突起１６を有し、右上部位置に係合孔１７を有する一方、図１４に示す半割り体２は、開口端における正面向かって左上部位置に前記係合孔１７に係合する突起１８を有し、右上部位置に前記突起１６に係合する係合孔１９を有する。
また、図１３，１５に示す半割り体３は、前記突起１６および係合孔１７のそれぞれの直下に、内周面から内側に平行に突出する一対の外向き横ガイド溝２０，２０を有する一方、図１４，１６に示す半割り体２は、前記外向き横ガイド溝２０，２０にガイドされる水平ガイド片２１，２１を有する。
また、図１３，１５に示す半割り体３は、前記外向き横ガイド溝２０，２０よりも下側の位置に、先端に内向きの爪２１ａ，２１ａが形成された左右一対の爪片２１，２１を有する一方、図１４，１６に示す半割り体２は、内向きの爪２１ａ，２１ａに係合する外向きの爪２２ａ，２２ａが形成された左右一対の爪片２２，２２を有する。
【００１５】
而して、図１において、壁Ｗの表面８９と合成樹脂製カバー１の端面９０間に環状の隙間Ｓが発生しても、リング体４を合成樹脂製カバー１にセットすることにより、リング体４で隙間Ｓを覆うことができ、見栄えが良くなるとともに、前記隙間Ｓにゴミを溜まり難くできる。
【００１６】
なお、この実施例では、いわゆる壁付きタイプの湯水混合栓Ａに用いられる偏心管について説明したが、この発明はそれに限られず、例えばカウンタータイプの湯水混合栓に用いられる偏心管にも適用できる。このカウンタータイプの場合、湯水混合栓が取り付けられる取付面は水平取付面である。
【図面の簡単な説明】
【００１７】
【図１】この発明の一実施例における使用状態を示す横断面図である。
【図２】上記実施例で用いたリング体の一方の補助カバーを示す平面図である。
【図３】上記実施例で用いたリング体の一方の補助カバーを示す横断面図である。
【図４】上記実施例で用いたリング体の一方の補助カバーを示す背面図である。
【図５】図２におけるＡ−Ａ線断面図である。
【図６】上記実施例で用いたリング体の一方の補助カバーを示す正面図である。
【図７】上記実施例で用いたリング体の他方の補助カバーを示す平面図である。
【図８】上記実施例で用いたリング体の他方の補助カバーを示す横断面図である。
【図９】上記実施例で用いたリング体の他方の補助カバーを示す側面図である。
【図１０】上記実施例で用いたリング体の他方の補助カバーを示す正面図である。
【図１１】上記実施例で用いたリング体の他方の補助カバーを示す背面図である。
【図１２】図７におけるＢ−Ｂ線断面図である。
【図１３】上記実施例で用いた合成樹脂製カバーの一方の半割り体を示す正面図である。
【図１４】上記実施例で用いた合成樹脂製カバーの他方の半割り体を示す正面図である。
【図１５】上記実施例で用いた合成樹脂製カバーの一方の半割り体を示す底面図である。
【図１６】上記実施例で用いた合成樹脂製カバーの他方の半割り体を示す底面図である。
【図１７】一般的な合成樹脂製カバー付きの偏心管を示す分解斜視図である。
【図１８】一般的な合成樹脂製カバー付きの偏心管の使用状態を示す図である。
【図１９】従来の問題点を説明するための横断面図である。
【符号の説明】
【００１８】
１          合成樹脂製カバー
２，３      半割り体
４          リング体
８３        偏心管本体
８４        湯水混合栓に対する接続部
８５        配管に対する接続部
８９        壁面
Ａ          湯水混合栓
Ｓ          隙間
【図１】
0004728709.tif 000002
【図２】
0004728709.tif 000003
【図３】
0004728709.tif 000004
【図４】
0004728709.tif 000005
【図５】
0004728709.tif 000006
【図６】
0004728709.tif 000007
【図７】
0004728709.tif 000008
【図８】
0004728709.tif 000009
【図９】
0004728709.tif 000010
【図１０】
0004728709.tif 000011
【図１１】
0004728709.tif 000012
【図１２】
0004728709.tif 000013
【図１３】
0004728709.tif 000014
【図１４】
0004728709.tif 000015
【図１５】
0004728709.tif 000016
【図１６】
0004728709.tif 000017
【図１７】
0004728709.tif 000018
【図１８】
0004728709.tif 000019
【図１９】
0004728709.tif 000020